【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
スマートフォンアプリケーションからの出力をヘッドセットディスプレイシステム上に表示する方法であって、
スマートフォンで実行されるアプリケーションから、ヘッドセットディスプレイシステムを介して表示するための前記実行されたアプリケーションの出力を生成し、該生成は、前記実行されたアプリケーションの前記出力を前記ヘッドセットディスプレイシステムが表示するためのアクションを示す指示を、前記スマートフォンが構成し送信することを含むこと、と、
前記構成された指示を前記ヘッドセットディスプレイシステムにおいて低帯域幅で受信し、これに応じて、前記ヘッドセットディスプレイシステムが、行うべき前記示されたアクションに基づいて前記生成された出力の表示を形成し、前記示されたアクションは、オンスクリーン通知、メッセージ、グラフィック要素、複数の予め定義された音声シーケンスのうちの１つを再生する要求、および、前記ヘッドセットディスプレイシステムの構成要素の制御、のうちのいずれかを含むこと、と
を含む方法。
【請求項２】
請求項１に記載の方法において、前記示されたアクションはそれぞれの要素タイプであり、各要素タイプについて、前記構成された指示は、前記ヘッドセットディスプレイシステムに関して予め定義された複数のスタイルのうちの１つを示す方法。
【請求項３】
請求項１に記載の方法において、前記指示が記述言語によるものである方法。
【請求項４】
請求項３に記載の方法において、前記記述言語はハイパーテキストマークアップ言語５（ＨＴＭＬ５）または他のマークアップ言語である方法。
【請求項５】
請求項１に記載の方法において、前記ヘッドセットディスプレイシステムにおいて描画される前記形成された表示は、音声認識／頭部追跡ユーザインターフェースによって提示されるメニュー選択肢およびプロンプトを含む方法。
【請求項６】
請求項５に記載の方法において、前記メニュー選択肢および出力は、可聴的におよび視覚的にユーザに提示される方法。
【請求項７】
請求項１に記載の方法において、前記ヘッドセットディスプレイシステムによる前記受信、および前記スマートフォンによる前記送信は、ワイヤレス通信リンクを介して行われる方法。
【請求項８】
請求項７に記載の方法において、前記ワイヤレス通信リンクはＢｌｕｅｔｏｏｔｈ、Ｗｉ‐Ｆｉ、または他のプロトコルのいずれかである方法。
【請求項９】
請求項１に記載の方法において、
前記ヘッドセットディスプレイシステムにおいて音声認識／頭部追跡ユーザインターフェースからの入力をモニタすることと、
前記音声認識／頭部追跡ユーザインターフェースからのコマンド入力を受信することに応じて、前記ヘッドセットディスプレイシステムにおいて前記受信された音声認識／頭部追跡コマンドを等価のスマートフォンコマンドに翻訳することと、
前記等価のスマートフォンコマンドを前記スマートフォンに送信して前記実行されたアプリケーションを制御することと
をさらに含む方法。
【請求項１０】
請求項９に記載の方法において、前記ヘッドセットディスプレイシステムによる前記送信は、前記実行されたアプリケーションの音声およびハンズフリーユーザ制御を可能にする方法。
【請求項１１】
ヘッドセットディスプレイシステム上に表示するためのコンテンツを送信するスマートフォンであって、
スマートフォンと、
前記スマートフォンで実行されるアプリケーションであって、当該アプリケーションは前記スマートフォンによって構成された指示を含む出力を生成し、前記指示は前記実行されたアプリケーションの前記出力を前記ヘッドセットディスプレイシステムが表示するためのアクションを示し、前記示されたアクションは、オンスクリーン通知、メッセージ、グラフィック要素、複数の予め定義された音声シーケンスのうちの１つを再生する要求、および、前記ヘッドセットディスプレイシステムの構成要素の制御、のうちのいずれかを含む、アプリケーションと、
前記スマートフォンに接続された通信モジュールであって、前記通信モジュールは前記指示を前記ヘッドセットディスプレイシステムに低帯域幅で送信する、通信モジュールと
を含むスマートフォン。
【請求項１２】
請求項１１に記載のスマートフォンにおいて、前記示されたアクションはそれぞれの要素タイプであり、各要素タイプについて、前記構成された指示は、前記ヘッドセットディスプレイシステムに関して予め定義された複数のスタイルのうちの１つを示すスマートフォン。
【請求項１３】
請求項１１に記載のスマートフォンにおいて、前記指示が記述言語によるものであるスマートフォン。
【請求項１４】
請求項１３に記載のスマートフォンにおいて、前記記述言語はＨＴＭＬ５または他のマークアップ言語であるスマートフォン。
【請求項１５】
請求項１１に記載のスマートフォンにおいて、前記構成された指示は、前記ヘッドセットディスプレイシステムが、音声認識／頭部追跡ユーザインターフェースによって提示されるメニュー選択肢およびプロンプトを含む表示を形成するためのアクションを示すスマートフォン。
【請求項１６】
請求項１５に記載のスマートフォンにおいて、前記メニュー選択肢および出力は、可聴的におよび視覚的にユーザに提示されるスマートフォン。
【請求項１７】
請求項１１に記載のスマートフォンにおいて、前記通信モジュールは前記指示を前記ヘッドセットディスプレイシステムにワイヤレス通信リンクを介して低帯域幅で送信するスマートフォン。
【請求項１８】
請求項１７に記載のスマートフォンにおいて、前記ワイヤレス通信リンクはＢｌｕｅｔｏｏｔｈ、Ｗｉ‐Ｆｉ、または他のプロトコルのいずれかであるスマートフォン。
【請求項１９】
請求項１１に記載のスマートフォンにおいて、前記通信モジュールは、さらに、前記ヘッドセットディスプレイシステムによって送信されたスマートフォンコマンドを受信し、前記スマートフォンコマンドは、（ａ）前記実行されたアプリケーションを制御することが可能であり、および、（ｂ）前記ヘッドセットディスプレイシステムが音声認識／頭部追跡ユーザインターフェースからの入力を受信することに応じて生成されたヘッドセットディスプレイシステムコマンドと等価である、スマートフォン。
【請求項２０】
請求項１９に記載のスマートフォンにおいて、前記受信されたスマートフォンコマンドは、前記ヘッドセットディスプレイシステムのオペレータによって前記実行されたアプリケーションの音声およびハンズフリーユーザ制御を可能にするスマートフォン。
【請求項２１】
出力を生成するネイティブアプリケーションを実行するスマートフォンから、表示するためのコンテンツを受信するヘッドセットディスプレイシステムであって、
前記スマートフォンから指示を低帯域幅で受信する通信モジュールであって、前記指示は前記実行されたアプリケーションの前記生成された出力を前記ヘッドセットディスプレイシステムが表示するためのアクションを示し、前記示されたアクションは、オンスクリーン通知、メッセージ、グラフィック要素、複数の予め定義された音声シーケンスのうちの１つを再生する要求、および、前記ヘッドセットディスプレイシステムの構成要素の制御、のうちのいずれかを含む、通信モジュールと、
前記生成された出力を表示するディスプレイと
を含むヘッドセットディスプレイシステム。
【請求項２２】
請求項２１に記載のヘッドセットディスプレイシステムにおいて、前記示されたアクションはそれぞれの要素タイプであり、各要素タイプについて、前記構成された指示は、前記ヘッドセットディスプレイシステムに関して予め定義された複数のスタイルのうちの１つを示すヘッドセットディスプレイシステム。
【請求項２３】
請求項２１に記載のヘッドセットディスプレイシステムにおいて、前記指示が記述言語によるものであるヘッドセットディスプレイシステム。
【請求項２４】
請求項２３に記載のヘッドセットディスプレイシステムにおいて、前記記述言語はＨＴＭＬ５または他のマークアップ言語であるヘッドセットディスプレイシステム。
【請求項２５】
請求項２１に記載のヘッドセットディスプレイシステムにおいて、前記生成され表示された出力は、音声認識／頭部追跡ユーザインターフェースによって提示されるメニュー選択肢およびプロンプトを含むヘッドセットディスプレイシステム。
【請求項２６】
請求項２５に記載のヘッドセットディスプレイシステムにおいて、前記メニュー選択肢および出力は、可聴的におよび視覚的にユーザに提示されるヘッドセットディスプレイシステム。
【請求項２７】
請求項２１に記載のヘッドセットディスプレイシステムにおいて、前記通信モジュールは前記指示を前記スマートフォンからワイヤレス通信リンクを介して低帯域幅で受信するヘッドセットディスプレイシステム。
【請求項２８】
請求項２７に記載のヘッドセットディスプレイシステムにおいて、前記ワイヤレス通信リンクはＢｌｕｅｔｏｏｔｈ、Ｗｉ‐Ｆｉ、または他のプロトコルのいずれかであるヘッドセットディスプレイシステム。
【請求項２９】
請求項２５に記載のヘッドセットディスプレイシステムにおいて、前記ヘッドセットディスプレイシステムは、（ａ）前記ヘッドセットディスプレイシステムにおいて音声認識／頭部追跡ユーザインターフェースからの入力をモニタし、（ｂ）前記音声認識／頭部追跡ユーザインターフェースからのコマンド入力を受信することに応じて、前記ヘッドセットディスプレイシステムにおいて前記受信された音声認識／頭部追跡コマンドを等価のスマートフォンコマンドに翻訳し、および、（ｃ）前記等価のスマートフォンコマンドを前記スマートフォンに送信して前記実行されたアプリケーションを制御するヘッドセットディスプレイシステム。
【請求項３０】
請求項２９に記載のヘッドセットディスプレイシステムにおいて、前記ヘッドセットディスプレイシステムによる前記送信は、前記実行されたアプリケーションの音声およびハンズフリーユーザ制御を可能にするヘッドセットディスプレイシステム。
【請求項３１】
スマートフォンアプリケーションからの出力をヘッドセットディスプレイシステム上で表示するためのシステムであって、
ディスプレイを有するヘッドセットディスプレイシステムと、
スマートフォン通信モジュールを含むスマートフォンと、
前記スマートフォンで実行され、表示出力を生成するネイティブアプリケーションと、を含み、
前記スマートフォンは、前記実行されたアプリケーションの前記出力を前記ヘッドセットディスプレイシステムが表示するためのアクションを示す指示を構成および送信し、および、
前記ヘッドセットディスプレイシステムは、前記送信された指示を低帯域幅で受信し、これに応じて、前記ヘッドセットディスプレイシステムが、行うべき前記示されたアクションに基づいて前記生成された出力の１つ以上の画面表示を形成し、
前記アクションは、オンスクリーン通知、メッセージ、グラフィック要素、複数の予め定義された音声シーケンスのうちの１つを再生する要求、ならびに、前記ヘッドセットディスプレイシステムの構成要素の制御、のうちのいずれかを含み、および、前記１つ以上の画面表示をディスプレイに表示する
システム。
【請求項３２】
請求項３１に記載のシステムにおいて、前記指示が記述言語によるものであるシステム。